(57)【要約】      （修正有）【課題】トンネルの拡径部と布設管の把持部とを一体に備え、溝付き管の潰れや管引き戻し時の抜け出しを防止できる溝付き管用引き戻し治具を提供する。【解決手段】略円錐台形状の拡径部１ａに続き円筒部１ｂを有する本体１を設け、拡径部の先端面から先端溝５を設け、円筒部の中空部６と先端溝５との間に貫通孔７を設け、棒材部２ａを先端に、テーパー外周２ｂを後端に夫々有するテーパー部材２を、貫通孔に入れて中空部６に挿入し、テーパー部材のテーパー外周２ｂに相応するテーパー内周３ｂを後部に有する筒状体で、軸方向に複数に割れた、せり出し部材３をテーパー部材の外周に摺動自在に被冠し、せり出し部材は溝付き管の凹凸に相応した螺旋状凸部１２を外周に有し、複数割れのせり出し部材を束ねるＯリング１３を被冠し、テーパー部材のネジ溝９に螺着したボルト部１８を後端に突設した引き戻しボルト４を設けた。【選択図】図１
0003216616.tif 000002
【実用新案登録請求の範囲】
【請求項１】
先細の略円錐台形状の拡径部に続き後端が開口した円筒部を有する本体を設け、当該本体の前記拡径部の先端面から後方に向けて先端溝を有し、前記円筒部の中空部と拡径部の先端溝との間の隔壁に貫通孔を設け、
当該貫通孔に挿通自在な棒材部を先端に有し、これに続いて前記円筒部の中空部に挿入自在なテーパー外周を有するテーパー部材を、前記棒材部を前記貫通孔に入れて当該テーパー部材を本体の中空部に挿入し、
当該テーパー部材のテーパー外周に相応するテーパー内周を後部に有する筒状体で、当該筒状体が軸方向に複数に割れた、せり出し部材を前記テーパー部材の外周に、軸方向に摺動自在に被冠し、
当該せり出し部材は把持する溝付き管の凹凸に相応した凹凸を外周に有し、かつ、複数割れのせり出し部材を束ねる収束手段を設け、
前記本体の先端に、前記テーパー部材の棒材部の中心軸と同軸上に設けたネジ溝に螺着自在なボルト部を後端に突設した引き戻しボルトを設け、当該引き戻しボルトのボルト部が前記ネジ溝に螺着されたことを特徴とする、非開削管埋設工法における溝付き管用引き戻し治具。
【請求項２】
前記本体の貫通孔は断面が角型であり、また、前記テーパー部材の棒材部は断面が前記貫通孔の断面に相応する角型であることを特徴とする、請求項１に記載の非開削管埋設工法における溝付き管用引き戻し治具。
【請求項３】
前記せり出し部材は前記テーパー部材の棒材部の外周に当接する水平内周とこれに続くテーパー内周を後部に有する形状であり、
前記テーパー部材の外周で軸方向に摺動した際、常時当該せり出し部材の外周はテーパー部材の軸に平行となっている構成であることを特徴とする、請求項１又は２に記載の非開削管埋設工法における溝付き管用引き戻し治具。
【請求項４】
前記せり出し部材の先端部は筒状肉薄部となっており、前記本体の中空部の隔壁に、貫通孔の同心円上に前記せり出し部材の筒状肉薄部を係止する円筒部が突設されたことを特徴とする、請求項１〜３のいずれかに記載の非開削管埋設工法における溝付き管用引き戻し治具。
【請求項５】
前記せり出し部材の収束手段がＯリングであることを特徴とする、請求項１〜４のいずれかに記載の非開削管埋設工法における溝付き管用引き戻し治具。
【請求項６】
前記引き戻しボルトが、先端に係止片を有する前端部と、後端に前記ボルト部を有する後端部とから成り、
これらの前端部と後端部とは水平軸で回転自在に接続されたことを特徴とする、請求項１〜５のいずれかに記載の非開削管埋設工法における溝付き管用引き戻し治具。
【考案の詳細な説明】
【技術分野】
【０００１】
この考案は、非開削の小口径推進工法等の管埋設工法において、二工程方式にて埋設管を布設する場合の、パイロット管と布設管との間に挿入して用いる溝付き管用引き戻し治具に関するものである。
【背景技術】
【０００２】
小口径推進工法の従来技術である「たけのこモール」（登録商標）は、主にガス管や水道管の布設工事に利用されてきたこともあり、溝付き管の布設経験が無く、従って、溝付き管用の引き戻し治具もなかった。
【０００３】
一方、ケーブル布設のための配管工事を行う他工法では溝付き管の引き戻しも行われているが、情報通信工事で用いられる波付き管は細く、多条数のため１本ごとの引き込みではなく、多条数の波付き管をバックリーマー（拡径用引き戻し治具）に後続したワイヤネットなどでまとめて引き込む方法が採られてきた。また、１本ごとに引き込む場合は管の形状に合わせて治具を作り、その都度対応している場合が多い。
【０００４】
特許文献１のものは、バックリーマーと布設する管材との間にこれらの接続手段としてスイベル部及び管材を把持するエキスパンダチャックとを設けたものである。また、特許文献２のものは、リーマーと布設する管材との間にこれらの接続手段として連結部材及び管材を把持するワイヤーグリップとを設けている。
【先行技術文献】
【特許文献】
【０００５】
【特許文献１】特開２００１−１１５７７６号公報
【特許文献２】特開２００７−２３９３８９号公報
【考案の開示】
【考案が解決しようとする課題】
【０００６】
この様に、溝付き管用の引き戻し治具はなく、１本ごとに引き込む場合は溝付き管の形状に合わせて治具を作り、その都度対応しており、工事が迅速に進まず、不便であった。また、これらの従来のものはトンネルを拡径するバックリーマーと、布設管を把持する治具が分かれており、部品点数が多く、管理がしにくい欠点があった。
【０００７】
そこで、この考案はこれらの点に着目し、トンネルの拡径部と布設管の把持部とを一体に備え、溝付き管の潰れや、管引き戻し時の抜け出しを防止できる引き戻し治具を提供することを目的としたものである。
【課題を解決するための手段】
【０００８】
請求項１の考案は、先細の略円錐台形状の拡径部に続き後端が開口した円筒部を有する本体を設け、当該本体の前記拡径部の先端面から後方に向けて先端溝を有し、前記円筒部の中空部と拡径部の先端溝との間の隔壁に貫通孔を設け、当該貫通孔に挿通自在な棒材部を先端に有し、これに続いて前記円筒部の中空部に挿入自在なテーパー外周を有するテーパー部材を、前記棒材部を前記貫通孔に入れて当該テーパー部材を本体の中空部に挿入し、当該テーパー部材のテーパー外周に相応するテーパー内周を後部に有する筒状体で、当該筒状体が軸方向に複数に割れた、せり出し部材を前記テーパー部材の外周に、軸方向に摺動自在に被冠し、当該せり出し部材は把持する溝付き管の凹凸に相応した凹凸を外周に有し、かつ、複数割れのせり出し部材を束ねる収束手段を設け、前記本体の先端に、前記テーパー部材の棒材部の中心軸と同軸上に設けたネジ溝に螺着自在なボルト部を後端に突設した引き戻しボルトを設け、当該引き戻しボルトのボルト部が前記ネジ溝に螺着された、非開削管埋設工法における溝付き管用引き戻し治具とした。
【０００９】
また、請求項２の考案は、前記本体の貫通孔は断面が角型であり、また、前記テーパー部材の棒材部は断面が前記貫通孔の断面に相応する角型である、請求項１に記載の非開削管埋設工法における溝付き管用引き戻し治具とした。
【００１０】
また、請求項３の考案は、前記せり出し部材は前記テーパー部材の棒材部の外周に当接する水平内周とこれに続くテーパー内周を後部に有する形状であり、前記テーパー部材の外周で軸方向に摺動した際、常時当該せり出し部材の外周はテーパー部材の軸に平行となっている構成である、請求項１又は２に記載の非開削管埋設工法における溝付き管用引き戻し治具とした。
【００１１】
また、請求項４の考案は、前記せり出し部材の先端部は筒状肉薄部となっており、前記本体の中空部の隔壁に、貫通孔の同心円上に前記せり出し部材の筒状肉薄部を係止する円筒部が突設された、請求項１〜３のいずれかに記載の非開削管埋設工法における溝付き管用引き戻し治具とした。
【００１２】
また、請求項５の考案は、前記せり出し部材の収束手段がＯリングである、請求項１〜４のいずれかに記載の非開削管埋設工法における溝付き管用引き戻し治具とした。
【００１３】
また、請求項６の考案は、前記引き戻しボルトが、先端に係止片を有する前端部と、後端に前記ボルト部を有する後端部とから成り、これらの前端部と後端部とは水平軸で回転自在に接続された、請求項１〜５のいずれかに記載の非開削管埋設工法における溝付き管用引き戻し治具とした。
【考案の効果】
【００１４】
請求項１の考案によれば、トンネルの拡径部と布設管の把持部とを一体に備えており、取り扱いが容易かつ便利である。また、溝付き管の凹凸形状に相応した凹凸を有するせり出し部材で溝付き管を把持するため、溝付き管の凹凸が潰れたりしない。また、この様にこの考案の引き戻し治具は溝付き管を強固に把持できるため、管引き戻し時に溝付き管の抜け出しを防止できる。
【００１５】
また、請求項２の考案によれば、引き戻し治具の本体の貫通孔を断面が角型とし、また、前記テーパー部材の棒材部を断面が前記貫通孔の断面に相応する角型としたため、引きも戻しボルトのボルト部を前記テーパー部材のネジ溝に螺着して、当該ボルト部を回した際、テーパー部材が共回りせず、確実にボルト部に沿って移動するため、作業がし易い。
【００１６】
また、請求項３の考案によれば、せり出し部材は、テーパー部材に沿って移動した際、常時、当該せり出し部材の外周はテーパー部材の軸に平行となっているため、把持する溝付き管を均一に押圧でき、当該引き戻し治具の溝付き管への把持が強固かつ確実に維持される。
【００１７】
また、請求項４の考案によれば、溝付き管を把持する際、せり出し部材の先端部の筒状肉薄部が、本体の中空部の隔壁に設けた円筒部に係止されるため、せり出し部材はそれ以上溝付き管を圧迫することがなく、当該引き戻し治具で溝付き管を把持しても、当該溝付き管の凹凸を潰す恐れがない。
【００１８】
また、請求項５の考案によれば、せり出し部材の収束手段がＯリングであるため、極めて簡単な構造となっている。
【００１９】
また、請求項６の考案によれば、引き戻しボルトの前端部と後端部とが回転自在に接続されているため、パイロット管の動きにより前端部が捻じれても当該引き戻し治具は回転することなくそのままの姿勢で土中を推進可能である。
【図面の簡単な説明】
【００２０】
【図１】この考案の実施の形態例１の引き戻し治具の一部縦断面正面図である。
【図２】この考案の実施の形態例１の引き戻し治具の本体の縦断面正面図である。
【図３】この考案の実施の形態例１の引き戻し治具の本体の左側面図である。
【図４】この考案の実施の形態例１の引き戻し治具の本体の右側面図である。
【図５】この考案の実施の形態例１の引き戻し治具のテーパー部材の一部縦断面正面図である。
【図６】この考案の実施の形態例１の引き戻し治具のテーパー部材の左側面図    である。
【図７】この考案の実施の形態例１の引き戻し治具のテーパー部材の右側面図    である。
【図８】この考案の実施の形態例１の引き戻し治具のせり出し部材の正面図    である。
【図９】この考案の実施の形態例１の引き戻し治具のせり出し部材の縦断面正面図である。
【図１０】この考案の実施の形態例１の引き戻し治具のせり出し部材をテーパー部材に被冠した一部縦断面正面図である。
【図１１】この考案の実施の形態例１の引き戻し治具のせり出し部材をテーパー部材に被冠した状態の拡大左側面図である。
【図１２】この考案の実施の形態例１の引き戻し治具の引き戻しボルトの一部縦断面正面図である。
【図１３】この考案の実施の形態例１の引き戻し治具の引き戻しボルトの左側面図である。
【図１４】この考案の実施の形態例１の引き戻し治具の引き戻しボルトの右側面図である。
【図１５】この考案の実施の形態例１の引き戻し治具の本体の中空部に溝付き管の一端を挿入した状態の一部縦断面正面図である。
【図１６】この考案の実施の形態例１の引き戻し治具の本体の中空部奥に溝付き管の一端を挿入した状態の一部縦断面正面図である。
【図１７】この考案の実施の形態例１の引き戻し治具の本体の中空部で溝付き管の一端を把持した状態の一部縦断面正面図である。
【図１８】この考案の実施の形態例１の引き戻し治具の後端に溝付き管を接続し、先端にパイロット管を接続した状態の一部縦断面正面図である。
【考案を実施するための形態】
【００２１】
（実施の形態例１）
この考案の実施の形態例１の引き戻し治具Ａを図に基づいて説明する。
【００２２】
この引き戻し治具Ａは、本体１、テーパー部材２、せり出し部材３及び引き戻しボルト４から構成されている。
【００２３】
前記本体１は、図１〜４に示すように、先細の略円錐台形状の拡径部１ａに続き後端が開口した円筒部１ｂを一体に有している。また、当該本体１の前記拡径部１ａの先端面から後方に向けて先端溝５を有し、前記円筒部１ｂの中空部６と拡径部１ａの先端溝５との間の隔壁１ｃに断面が四角形の貫通孔７を設けている。また、前記中空部６に面した隔壁１ｃに、貫通孔６と同心円の円筒部８を有している。当該円筒部８は後端が開口している。
【００２４】
前記テーパー部材２は、図１及び図５〜図７に示すように、前記本体１の貫通孔７に挿通自在な断面四角形の棒材部２ａを先端に有し、これに続いて前記中空部６に挿入自在なテーパー外周２ｂを有している。また、当該テーパー部材２の前記棒材部２ａの先端面から後方に向かってネジ溝９が設けられ、テーパー部材２の後端には、穴１０を有する係止突起１１を有している。そして、このテーパー部材２の前記棒材部２ａを前記本体１の貫通孔７に入れて、当該テーパー部材２を本体１の中空部６に挿入している。
【００２５】
前記せり出し部材３は、図１及び図８〜図９に示すように、前記当該テーパー部材２の棒材部２ａに当接する水平内周３ａを内周前部に有し、これに続き、前記テーパー部材２のテーパー外周２ｂに相応するテーパー内周３ｂを内周後部に有する筒状体で、当該筒状体が軸方向に３個に割れている。また、当該せり出し部材３は後述する溝付き管Ｂの凹凸に相応した螺旋状凸部１２を外周に有し、かつ、３個割れのせり出し部材３を束ねるＯリング１３を外周溝１４内に設けている。また、前記せり出し部材３の先端は段部を設けて円筒肉薄部１５を有している。
【００２６】
また、図１０及び図１１に示すように、当該せり出し部材３を前記テーパー部材２の外周に被せる。そして、前記Ｏリング１３により３個割れのせり出し部材３はその中心軸に向けて、即ち、テーパー部材２に向けて縮むように付勢されている。
【００２７】
また、当該せり出し部材３はテーパー部材２の軸方向に摺動自在となっているが、テーパー部材２の外周のどの位置においても、せり出し部材３の外周がテーパー部材２の中心軸に平行に位置するように構成されている。
【００２８】
前記引き戻しボルト４は、図１及び図１２〜図１４に示すように、横の穴１６を有する係止片１７から成る前端部４ａと、前記テーパー部材２の棒材部２ａのネジ溝９に螺着自在なボルト部１８を後端面から後方に向けて突設した後端部４ｂを有してなる。また、当該前端部４ａと後端部４ｂとはこれらの間に通した水平軸１９を中心に相互に回転自在となっている。
【００２９】
そして、当該引き戻しボルト４は、前記本体１の拡径部１ａの先端面に、後端部４ｂの後端面を当てて、本体１の先端溝５にボルト部１８を入れ、先端溝５に顔を出したテーパー部材２の棒材部２ａのネジ溝９に当該ボルト部１８の先端部を螺着している。
【００３０】
次に、この引き戻し治具Ａに溝付き管Ｂを把持する方法を図１５〜図１７に基づいて説明する。    
【００３１】
まず、引き戻し治具Ａの引き戻しボルト４のボルト部１８の先端がテーパー部材２のネジ溝９の先端に螺着するように、テーパー部材２を本体１に挿入する。その後、図１５に示すように、接続する溝付き管Ｂの一端を引き戻し治具Ａの本体１の後方から中空部６に挿入する。
【００３２】
そして、図１６に示すように、溝付き管Ｂの一端を中空部６の奥部の隔壁１ｃに突き当て、引き戻しボルト４の後端部４ｂを回し、ボルト部１８を回転させ、テーパー部材２の棒材部２ａを本体１の先端溝５内で前方の引き戻しボルト４側に引き寄せる。これによりテーパー部材２の外周のせり出し部材３のテーパー内周３ｂがテーパー部材２のテーパー外周２ｂに沿ってせり上がり、その螺旋状凸部１２が溝付き管Ｂの内周凹部に入る。
【００３３】
そして、図１７に示すように、さらに、引き戻しボルト４の後端部４ｂを回し、ボルト部１８を回転させると、テーパー部材２の外周のせり出し部材３のテーパー内周３ｂがテーパー部材２のテーパー外周２ｂに沿ってせり上がる。さらにボルト部１８を、円筒肉薄部１５が円筒部８にぶつかるまで回転させると、螺旋状凸部１２が溝付き管Ｂの内周凹部に完全に入り、溝付き管Ｂは前記せり出し部材３に内周が、また本体の中空部６の内周に外周が挟持され、当該引き戻し治具Ａが溝付き管Ｂを把持する。これにより溝付き管Ｂの把持が完了する。
【００３４】
そして、図１８に示すように、引き戻し治具Ａの引き戻しボルト４の係止片１７の穴１６とパイロット管２０の先端ヘッド２０ａとにリングキャッチ２１を係止する。また、前記テーパー部材２の後端の係止片１１の穴１０に、溝付き管Ｂの中を通した通線用ロープ２２の一端を係止する。そして、パイロット管２０を地中に引き戻し、これにより当該引き戻し治具Ａは地中のパイロット管２０に開けられたトンネルを拡径しながら、後続の溝付き管Ｂを地中に布設していく。
【００３５】
なお、上記の実施の形態例１では、本体１の貫通孔７を断面四角形とし、テーパー部材２の棒材部２ａを断面四角形とすることにより、テーパー部材２の棒材部２ａのネジ溝９に螺着した引き戻しボルト４のボルト部１８を回して、テーパー部材２の棒材部２ａを引き戻しボルト４側に引き寄せる際、テーパー部材２の共回りを防止しているが、前記貫通孔７及び棒材部２ａの断面は角型でなくても良い。断面が角型でない場合は、ボルト部１８を回す際、テーパー部材２の後端の係止片１１を手等で押さえておけば、共回りは防止できる。
【００３６】
また、前記実施の形態例１ではせり出し部材を三つ割りとしているが、二つ割、四つ割りにしても良い。さらに、当該三つ割りのせり出し部材３を束ねて中心に収束する手段は、前記実施の形態例のＯリング１３に限らず、環状のスプリングバネ、その他の部材でも良い。また、前記実施の形態例１では前記せり出し部材３の外周に螺旋状凸部１２を設けたが、これに限らず、把持する溝付き管Ｂの凹凸形状に相応する凹凸をせり出し部材３の外周に設けたものであれば良い。
【００３７】
また、前記実施の形態例１では本体１の中空部６に面した隔壁１ｃに円筒部８を設けたが、この円筒部８を設けなくても良い。また、前記実施の形態例１では引き戻しボルト４を、前端部４ａと後端部４ｂとを水平軸１９で相互に回転自在に接続したが、回転自在としなくても良い。
【符号の説明】
【００３８】
Ａ      引き戻し治具                Ｂ      溝付き管
１      本体                        １ａ    拡径部                      
１ｂ    円筒部                      １ｃ    隔壁
２      テーパー部材                ２ａ    棒状部
２ｂ    テーパー外周                ３      せり出し部材
３ａ    水平内周                    ３ｂ    テーパー内周              
４      引き戻しボルト              ４ａ    前端部
４ｂ    後端部                      ５      先端溝
６      中空部                      ７      貫通孔
８      円筒部                      ９      ネジ溝
１０    穴                          １１    係止片
１２    螺旋状凸部                  １３    Ｏリング
１４    外周溝                      １５    円筒肉薄部  
１６    穴                          １７    係止片
１８    ボルト部                    １９    水平軸
２０    パイロット管                ２０ａ  先端ヘッド
２１    リングキャッチ              ２２    通線用ロープ
【図１】
0003216616.tif 000003
【図２】
0003216616.tif 000004
【図３】
0003216616.tif 000005
【図４】
0003216616.tif 000006
【図５】
0003216616.tif 000007
【図６】
0003216616.tif 000008
【図７】
0003216616.tif 000009
【図８】
0003216616.tif 000010
【図９】
0003216616.tif 000011
【図１０】
0003216616.tif 000012
【図１１】
0003216616.tif 000013
【図１２】
0003216616.tif 000014
【図１３】
0003216616.tif 000015
【図１４】
0003216616.tif 000016
【図１５】
0003216616.tif 000017
【図１６】
0003216616.tif 000018
【図１７】
0003216616.tif 000019
【図１８】
0003216616.tif 000020